(57)【要約】【課題】二重壁式の贈答箱に蓋体を被せないで包装しても収容された商品が破損することなしに保管ならびに搬送を可能にする。【解決手段】全体が四角形状を呈する二重壁式の贈答箱における包装補助材を、縦幅が前記贈答箱の縦幅にほぼ等しく、中央に前記贈答箱の底壁の横幅とほぼ同等の横幅を有する第１底壁補助部、その両側に前記贈答箱の側壁の高さにほぼ等しい幅を有する第１及び第２側壁補助部、更に前記各外側の側壁補助部の両側に適宜の横幅を有する第２底壁補助部がそれぞれ罫線を介して互いに連結されている。【選択図】　　　　図３
2004042934.tif 000002
【特許請求の範囲】
【請求項１】
全体が四角形状を呈する二重壁式の贈答箱における包装補助材であって、縦幅が前記贈答箱の縦幅にほぼ等しく、中央に前記贈答箱の底壁の横幅とほぼ同等の横幅を有する第１底壁補助部、その両側に前記贈答箱の側壁の高さにほぼ等しい幅を有する第１及び第２側壁補助部、更に前記外側の各側壁補助部の両側に適宜の横幅を有する第２底壁補助部がそれぞれ縦方向に延びる罫線を介して互いに連結されている適宜厚さの板状体であることを特徴とする二重壁式の贈答箱用の包装補助材。
【請求項２】
前記第１底壁補助部に複数の縦方向へ延びるミシン罫線が形成されている請求項１記載の二重壁式の贈答箱用の包装補助材。
【請求項３】
縦方向の少なくとも一方の側部に少なくとも１つの横方向に延びるミシン罫線が形成されている請求項１または２記載の二重壁式の贈答箱用の包装補助材。
【請求項４】
前記板状体が適宜の緩衝性と少なくとも面方向に剛性を有する請求項１，２または３記載の贈答箱用の包装補助材。
【請求項５】
前記板状体が段ボールにより形成されている請求項１，２，３または４に記載の贈答箱用の包装補助材。
【発明の詳細な説明】
【０００１】
【発明の属する技術分野】
本発明は、二重壁式の贈答箱における包装補助材、殊に、蓋を被せることなく収容した贈答物が露出した状態で包装紙により包装する際に用いられる包装補助材に関するものである。
【０００２】
【従来技術】
従来、図１１に示すように贈答箱１ａとしてボール紙やクラフト紙等の適度の剛性を有する紙製シートにより側壁２ａが内側壁２１ａと外側壁２２ａとにより二重壁状に形成され上面が開口した二重壁式の贈答箱が用いられている。
【０００３】
この二重化壁式の贈答箱１ａは収容した商品３ａに高級感や重厚感を与えることからビール、ジュース、缶詰、菓子、調味料、飲用瓶など各種の贈答用商品に利用されている。
【０００４】
そして、特に、受取人が受け取ったときに収容してある商品３ａが直接、露出して贈答された商品の印象を強く与えるように蓋体を被せることなしに例えば透明のシートを被せ、或いは更に百貨店ののし紙を掛け渡した状態で結束紐で縛っただけで搬送する手段が採られている。
【０００５】
【発明が解決しようとする課題】
しかしながら、前記二重壁式の贈答箱１ａは側壁２ａが互いに距離を隔てたボール紙やクラフト紙等の適度の剛性を有する紙製シートにより形成された内側壁２１ａと外側壁２２ａにより構成されている。
【０００６】
従って、贈答箱１ａを保管したり、搬送したりする際に、贈答箱１ａを積み重ねることになり、側壁２ａが潰れて収容されている商品３ａが損傷してしまうことがある。
【０００７】
特に、商品３ａがビールやジュース缶のように液体を収容したものである場合には損傷した商品３ａに留まらず流れ出た中身が他の商品を汚染することになり多大な損害を被ることになる。
【０００８】
本発明はこのような実情に鑑みてなされたものであり、二重壁式の贈答箱に蓋体を被せないで包装しても収容された商品が破損することなしに保管ならびに搬送を可能にすることを課題とするものである。
【０００９】
【課題を解決するための手段】
前記課題を解決するため、本発明は、全体が四角形状を呈する二重壁式の贈答箱における包装補助材を、縦幅が前記贈答箱の縦幅にほぼ等しく、中央に前記贈答箱の底壁の横幅とほぼ同等の横幅を有する第１底壁補助部、その両側に前記贈答箱の側壁の高さにほぼ等しい幅を有する第１及び第２側壁補助部、更に前記各外側の側壁補助部の両側に適宜の横幅を有する第２底壁補助部がそれぞれ罫線を介して互いに連結されている適宜厚さの板状体とした。
【００１０】
第１底壁補助部の両側端に形成された罫線を谷折して第１側壁補助部を垂直に立てるとともに、第１側壁補助部と第２側壁補助部との間に形成された罫線を山折して第１側壁補助部に折り重ね、更に、第２側壁補助部と第２底壁補助部との間に形成された罫線を内側方向に水平位置に折って第１底壁補助部に重ねて端面が上向き開口のコ字形を形成し、開口部に贈答箱を嵌挿入して包装することにより贈答箱の側壁を強化して保管及び搬送に生じる積み重ねによる側壁の損傷を防止する。
【００１１】
また、本発明において、前記第１底壁補助部に複数の縦方向へ延びるミシン罫線が形成されている場合には、ミシン罫線で底壁補助部を切り開き或いは一部を切り取って底壁の幅の異なる複数の贈答箱に対応することができる。
【００１２】
更に、縦方向の少なくとも一方の側部に少なくとも１つの横方向に延びるミシン罫線が形成されている場合には、各種の縦幅の異なる贈答箱に対応することもできる。
【００１３】
更にまた、二重壁式の贈答箱用の包装補助前記板状体が適宜の緩衝性と少なくとも面方向に剛性を有することにより充分な耐性を得ることができ、前記板状体が段ボールにより形成されている場合には充分な剛性と緩衝性を発揮することができるばかりか安価であり、経済的にも優れているとともにリサイクルも可能であり環境面でも有利である。
【００１４】
【発明の実施の形態】
次に本発明の実施の形態について図面を参照して詳細に説明する。
【００１５】
図１は本発明の好ましい実施の形態の一例を示すものであり、特に図５に示すように、底壁２１，２２，２３の縦幅Ｌ２はそれぞれ等しく横幅ｄ１，ｄ２，ｄ３がそれぞれ異なる、即ち、例えば缶ビールや缶ジュースなどの商品３の収容数が異なる側壁４が二重壁式の複数種類の贈答箱１１，１２，１３について共通して使用することができる。
【００１６】
そして、本発明である包装補助材５は、図１（Ａ）に示すように、例えば適宜厚さの段ボールのように剛性と緩衝性を有する板状材により形成され、縦幅Ｌ１が前記図５に示したように贈答箱１１，１２，１３の縦幅Ｌ２にほぼ等しく、中央に前記贈答箱１１，１２，１３の内で、中間の横幅ｄ２を有する贈答箱１２における底壁２２の横幅ｄ２とほぼ同等の横幅ｄ４を有する第１底壁補助部５１が形成され、その両側に贈答箱１２の側壁４の高さにほぼ等しい幅ｄ５を有する第１及び第２側壁補助部５２，５２及び５３，５３が谷折りの罫線７１，７１および山折りの罫線７２，７２を介して形成され、更に各外側の側壁補助部５３，５３の両側に適宜の横幅ｄ６を有する第２底壁補助部５４，５４が山折りの罫線７３，７３を介して形成された板状体を呈している。
【００１７】
更に、第１底壁補助部２１に複数（本実施の形態では３本）の縦方向へ延びるミシン罫線８１，８２，８３が形成されている。
【００１８】
そして、包装補助材２を使用するには、まず、図２に示すように、第１底壁補助部５１の両側端に形成された罫線７１，７１を谷折して第１側壁補助部５２，５２を垂直に立てるとともに、第１側壁補助部５２，５２と第２側壁補助部５３，５３との間に形成された罫線７２，７２を山折して第１側壁補助部５２，５２に折り重ね、更に、第２側壁補助部５３，５３と第２底壁補助部５４，５４との間に形成された罫線７３，７３を内側方向に水平位置に折って第１底壁補助部５１に重ねて端面が上向き開口のコ字形を形成し、図３及び図４に示すように、開口部に贈答箱１２の底壁２２を嵌挿して重ねた状態で結束紐９，９により結束することにより贈答箱１２の側壁４，４の外側に沿って互いに板状に重ね合わせられて剛性を増した第１側壁補助部５２，５２と第２側壁補助部５３，５３とが贈答箱１２の側壁４，４を保護して保管及び搬送に生じる積み重ねによる側壁４，４の損傷を防止する。
【００１９】
また、図６は前記実施の形態を図５（Ｃ）に示したように、前記図１乃至図４に示した実施の形態よりも横幅ｄ３の広い贈答箱１３に対応して使用する場合を示すものであり、まず、前記図１に示した包装補助材５を、底壁補助部５１に形成された複数の縦方向へ延びるミシン罫線８１，８２，８３の内のいずれか、たとえば中央のミシン罫線８１により第１底壁補助部５１を切り開いて図６に示すように二つの分割体１０１、１０２とし、これを前記図２に示したと同様に折り曲げて贈答箱１３の側壁４，４と底壁２３との角部にそれぞれ当接し、これを結束紐９にて結束する（図６参照）。
【００２０】
このようにして使用することにより、予め設定した第１底壁補助部５１の幅ｄ４よりも幅広の底壁を有する各種の贈答箱に利用することができる。
【００２１】
更に、図８は前記図５（Ａ）に示したように、前記図５（Ｂ）に示した実施の形態よりも横幅ｄ１の狭い贈答箱１１に対応して使用する場合を示すものであり、まず、図１に示した包装補助材５を、底壁補助部５１に形成された複数の縦方向へ延びるミシン罫線８１，８２，８３の内、ミシン罫線８２，８３でそれぞれ切り開いて三つの分割体１０１、１０２，１０３とし、中央に切り取られた分割体１０３を取り除いて、両側の二つの分割体１０１、１０２を前記図２に示したと同様に折り曲げて贈答箱１１の側壁４，４と底壁２１との角部にそれぞれ当接し、これを結束紐９にて結束する。
【００２２】
このようにして使用することにより、予め設定した第１底壁補助部５１の幅ｄ４よりも幅狭の底壁を有する各種の贈答箱に利用することができる。
【００２３】
尚、前記実施の形態では横幅の異なる３種の贈答箱１１，１２，１３について使用する場合を示したが、これに限らず、多数の横幅の異なる贈答箱について使用することができることはいうまでもない。
【００２４】
また、前記実施の形態では贈答箱１１，１２，１３はいずれも縦幅Ｌ２が等しいものを使用したが、例えば図１０に示すように、縦幅Ｌ１を使用範囲における贈答箱の最大の縦幅にするとともに縦方向の側部に、使用する複数の贈答箱の縦幅に合致した位置に横方向へ延びるミシン罫線８４を設け、必要に応じて必要な位置のミシン罫線８４を切り開くことにより、使用する贈答箱１に対応した縦幅Ｌ２の贈答箱用の包装補助材５を得ることができ、縦幅の異なる各種の商品についても使用することができる。
【００２５】
【発明の効果】
以上のように本発明は、受取人が受け取ったときに収容してある商品を直接、露出した状態で反そうすることができるばかりか、贈答箱を保管したり、搬送したりする際に、贈答箱を積み重ねる場合にも側壁が潰れて収容されている商品が損傷してしまう心配がない。
【００２６】
また、主として贈答箱の底壁や側壁を覆うものであり、表面、つまり、商品の露出部分を覆うことがないので使用した状態でも全体として美麗である。
【００２７】
更に、罫線に沿って折り曲げるとともに贈答箱の底部に重ねて結束紐で結束するだけの簡単な作業で済み、取り扱いも容易である。
【００２８】
更にまた、段ボールなどの適宜の緩衝性と少なくとも面方向に剛性を有する素材を用いることにより安価に提供することができるとともにリサイクルも可能であり、殊に、多数種類の大きさの贈答箱に合わせてその数だけ種類を作る必要がなく、一つの形態で幅の異なる多数種類の贈答箱にしようすることができ、経済的にも優れている。
【図面の簡単な説明】
【図１】本発明の好ましい実施の形態を示す平面図。
【図２】図１に示した実施の形態の使用状態を示す端面図。
【図３】図１に示した実施の形態の使用状態を示す斜視図。
【図４】図３の端面図。
【図５】図１に示した実施の形態を使用する商品を収容した贈答箱の平面図。
【図６】図１に示した実施の形態の異なる使用状態を示す平面図。
【図７】異なる横幅を有する贈答箱について図６に示した使用方法により実施した場合の端面図。
【図８】図１に示した実施の形態の更に異なる使用状態を示す平面図。
【図９】異なる横幅を有する贈答箱について図８に示した使用方法により実施した場合の端面図。
【図１０】異なる縦幅を有する贈答箱についての平面図とその使用方法の説明図。
【図１１】従来例を示す説明図。
【符号の説明】
１　贈答箱、３　商品、４　側壁、５　包装補助材、１１，１２，１３　贈答箱、２１，２２，２３　底壁、５１　第１底壁補助部、５２　第１側壁補助部、５３　第２側壁補助部、５４　第２底壁補助部、７１，７２　，７３　罫線、８１，８２，８３，８４　ミシン罫線
【図１】
2004042934.tif 000003
【図２】
2004042934.tif 000004
【図３】
2004042934.tif 000005
【図４】
2004042934.tif 000006
【図５】
2004042934.tif 000007
【図６】
2004042934.tif 000008
【図７】
2004042934.tif 000009
【図８】
2004042934.tif 000010
【図９】
2004042934.tif 000011
【図１０】
2004042934.tif 000012
【図１１】
2004042934.tif 000013